(57)【特許請求の範囲】
【請求項１】
蓄積処理系ネットワーク及びリアルタイム処理系ネットワークの端末として機能する複合通信端末装置は、複合通信端末装置本体、前記蓄積処理系ネットワークに対するインタフェースをとる蓄積処理系ネットワークアクセスインタフェース装置及び前記リアルタイム処理系ネットワークに対するインタフェースをとるリアルタイム処理系ネットワークアクセスインタフェース装置とからなり、該リアルタイム処理系ネットワークアクセスインタフェース装置は、前記複合通信端末装置のメイン電源からの給電に加えて、該リアルタイム処理系ネットワークアクセスインタフェース装置の内部電源による給電及びリアルタイム処理系ネットワークからの給電を受けるようにし、
前記複合通信端末装置本体に障害が生じた場合は、前記リアルタイム処理系ネットワークアクセスインタフェース装置にのみ、前記内部電源による給電又は前記リアルタイム処理系ネットワークから給電を行い、該リアルタイム処理系ネットワークアクセスインタフェース装置により、通信することを可能とし、
前記リアルタイム処理系ネットワークアクセスインタフェース装置は、前記リアルタイム処理系ネットワークの通信制御機能を有する非常時制御装置を外部に設け、前記複合通信端末装置本体に障害が生じた場合は、前記非常時制御装置に電源を供給すると共に、前記複合通信端末本体内にある当該複合通信端末装置と前記リアルタイム系ネットワーク間の通信制御機能を有する通信制御部から通信制御機能を前記非常時制御装置に切り替えることにより、前記リアルタイム処理系ネットワークアクセスインタフェース装置により、通信可能としたことを特徴とする複合通信端末装置。
【請求項２】
前記リアルタイム処理系ネットワークアクセスインタフェース装置は、記憶媒体を有し、該記憶媒体には、前記複合通信端末装置における通信あるいは制御の履歴又は前記複合通信端末装置の給電の履歴を記録し、複合通信端末装置における通信あるいは制御の履歴又は前記複合通信端末装置の給電の履歴を保存することを特徴とする請求項１記載の複合通信端末装置。
【請求項３】
前記リアルタイム処理系ネットワークアクセスインタフェース装置は、前記記憶媒体を制御する装置制御部を有し、他の複合通信端末装置又はリアルタイム処理系ネットワークの通信管理ノードの要求により、前記装置制御部は、前記他の複合通信端末装置又は前記通信管理ノードに対して、前記記憶媒体に対するアクセスを許可することを特徴とする請求項２記載の複合通信端末装置。
【請求項４】
前記複合通信端末装置は、前記複合通信端末装置内に中央処理制御部及び前記リアルタイム処理系ネットワークアクセスインタフェース装置内に前記記憶媒体を制御する装置制御部を有し、前記中央処理制御部又は前記装置制御部からの出力指示により、前記装置制御部は、他の複合通信端末装置又はリアルタイム処理系ネットワークの通信管理ノードに対して、複合通信端末装置における通信あるいは制御の履歴又は前記複合通信端末装置の給電の履歴を出力することを特徴とする請求項２記載の複合通信端末装置。
【発明の詳細な説明】
【０００１】
【発明の属する技術分野】
本発明は、複合通信端末装置管理システム及び複合通信端末装置に係り、特に、蓄積処理系ネットワーク、リアルタイム処理系ネットワーク、前記二つのネットワークの端末として機能する複合通信端末装置及びリアルタイム処理系ネットワークの通信管理ノードを有する複合通信端末装置管理システム及びそのシステムの一部を構成する複合通信端末装置に関する。
【０００２】
【従来の技術】
従来の蓄積処理系ネットワーク及びリアルタイム処理系ネットワークの端末として機能する複合通信端末装置のネットワークインタフェース部の管理（例えば、パーソナルコンピュータのＬＡＮインタフェースボード、モデムなどの動作環境の設定等）は、複合通信端末装置の中央処理装置（ＣＰＵ）からのネットワークインタフェース部への指示等により行っていた。従って、管理が万全に行われるためには、中央処理装置とネットワークインタフェース部の両者が動作している必要があり、そのために、両者に給電し、両者間を通信可能状態にしておく必要があった。
【０００３】
また、複合通信端末装置としてパソコンを用いることが多い。このパソコンの端末装置が、電話網を介して電話する場合、このパソコンに接続されている電話網のノード（例えば、構内交換設備（ＰＢＸ）など）は、ノード内のパソコンに対する端末環境情報（ダイヤル信号種別、機能ボタン情報など）を設定している。それに対して、パソコン側も、上記電話網のノード内に設定されたパソコンに対する端末環境情報と整合がとれないと、通信ができないために、当該パソコンに対する端末環境情報を調べ、パソコン内のネットワークインタフェース部にそれと整合するように設定する必要がある。この設定は、パソコンからのマニュアル操作（指示）でネットワークインタフェース部に対して登録するために、通信ノードでの設定と併せて、二重の登録操作が必要であった。
【０００４】
また、通信履歴や障害情報等の管理においては、複合通信端末装置内のメモリ／ハードディスクなどの記憶装置資源を利用しているため、複合通信端末装置の不意な電源断が発生すると、当該情報の書込みエラー、又はクラッシュ等による記憶装置故障などを起こし、通信履歴や障害情報を紛失することが多かった。
【０００５】
【発明が解決しようとする課題】
従って、従来の技術の場合、以下の問題点がある。
（１）複合通信端末装置のメイン電源を投入し、複合通信端末装置上から複合通信端末装置に収容されるネットワークインタフェース部の設定を行う必要があるが、この設定は、ネットワーク内の通信管理ノードで設定されたデータと整合されるように、端末側で通信管理ノードと同様の設定を行うもので、通信ノードでの設定と併せて、二重手間であり、複合通信端末装置が増えるのに比例して、通信管理者の作業も膨大なものとなる。
（２）複合通信端末装置のハードディスク又はメモリ上に通信履歴情報、管理情報等を保存している場合、複合通信端末装置のメイン電源が断となると、ハードディスク又はメモリ上に通信履歴情報、管理情報等を読み出すことができず、致命的となった障害情報について取得できない場合が生じる。
【０００６】
本発明は、上記問題に鑑みなされたものであり、複合通信端末装置の管理を簡便なものとし、複合通信端末装置のメンテナンス作業の効率化を図ることを目的とするものである。
【０００７】
【課題を解決するための手段】
【０００９】
参考例の複合通信端末装置に係る発明は、蓄積処理系ネットワーク１０２及びリアルタイム処理系ネットワーク１０１の端末として機能する複合通信端末装置１０３は、複数の電力供給元から給電され、かつ、電源供給検出回路１０３１１及び電源切替回路１０３１２とを有し、電源供給検出回路により使用中の電源断を検出すると、電源切替回路が設定された優先順位に従い、電力供給元を切り替えることを特徴とする。
【００１０】
参考例によれば、複数の電力供給元を有し、使用中の電源断を電源供給検出回路により検出すると、電源切替回路が電力供給元を切り替えることにより、間断なく電源を供給することができる。請求項３に記載された複合通信端末装置に係る発明は、蓄積処理系ネットワーク１０２及びリアルタイム処理系ネットワーク１０１の端末として機能する複合通信端末装置１０３は、前記リアルタイム処理系ネットワークに対するインタフェースをとるリアルタイム処理系ネットワークアクセスインタフェース装置１０３１を有し、該リアルタイム処理系ネットワークアクセスインタフェース装置は、前記複合通信端末装置のメイン電源１０３６からの給電に加えて、該リアルタイム処理系ネットワークアクセスインタフェース装置の内部電源１０３１３による給電及び前記リアルタイム処理系ネットワークからの給電１０３１９を受けるようにし、前記複合通信端末装置の前記メイン電源の断の場合は、前記内部電源による給電又は前記リアルタイム処理系ネットワークからの給電を受けることを特徴とする。
【００１１】
また、参考例によれば、リアルタイム処理系ネットワークアクセスインタフェース装置は、複合通信端末装置のメイン電源からの給電に加えて、該リアルタイム処理系ネットワークアクセスインタフェース装置の内部電源による給電及び前記リアルタイム処理系ネットワークからの給電を受けるようにし、複合通信端末装置の前記メイン電源の断の場合でも、内部電源による給電又は前記リアルタイム処理系ネットワークからの給電を受け、リアルタイム処理系ネットワークアクセスインタフェース装置に、間断なく電源を供給することができる。
【００１２】
開示の複合通信端末装置に係る発明は、蓄積処理系ネットワーク１０２及びリアルタイム処理系ネットワーク１０１の端末として機能する複合通信端末装置１０３は、複合通信端末装置本体１０３０、前記蓄積処理系ネットワークに対するインタフェースをとる蓄積処理系ネットワークアクセスインタフェース装置１０３２及び前記リアルタイム処理系ネットワークに対するインタフェースをとるリアルタイム処理系ネットワークアクセスインタフェース装置１０３１とからなり、該リアルタイム処理系ネットワークアクセスインタフェース装置は、前記複合通信端末装置のメイン電源１０３６からの給電に加えて、該リアルタイム処理系ネットワークアクセスインタフェース装置の内部電源１０３１３による給電及びリアルタイム処理系ネットワークからの給電１０３１９を受けるようにし、前記複合通信端末装置本体に障害が生じた場合は、前記リアルタイム処理系ネットワークアクセスインタフェース装置にのみ、前記内部電源による給電又は前記リアルタイム処理系ネットワークから給電を行い、該リアルタイム処理系ネットワークアクセスインタフェース装置により、通信することを可能としたことを特徴とする。
【００１３】
また、開示の複合通信端末装置によれば、リアルタイム処理系ネットワークアクセスインタフェース装置は、複合通信端末装置のメイン電源からの給電に加えて、該リアルタイム処理系ネットワークアクセスインタフェース装置の内部電源による給電及びリアルタイム処理系ネットワークからの給電を受けるようにし、複合通信端末装置本体に障害が生じた場合は、前記リアルタイム処理系ネットワークアクセスインタフェース装置にのみ、内部電源による給電又は前記リアルタイム処理系ネットワークから給電を行い、該リアルタイム処理系ネットワークアクセスインタフェース装置により、通信することにより、複合通信端末装置本体の中央処理制御部の障害の影響に左右されずに通信を継続することができる。
【００１４】
また、開示の複合通信端末装置において、前記リアルタイム処理系ネットワークアクセスインタフェース装置１０３１は、通信制御機能を有する非常時制御装置１０３１７を外部に設け、前記複合通信端末装置本体１０３０に障害が生じた場合は、前記非常時制御装置に電源を供給すると共に、前記複合通信端末装置の通信制御機能を非常時制御装置に切り替えることにより、前記リアルタイム処理系ネットワークアクセスインタフェース装置により、通信することを可能としたことを特徴とする。
【００１５】
また、開示の複合通信端末装置は、複合通信端末装置本体の中央処理制御部の障害の影響に左右されずに通信を継続することができる。また、開示の複合通信端末装置において、前記リアルタイム処理系ネットワークアクセスインタフェース装置１０３１は、記憶媒体１０３１６を有し、該記憶媒体には、前記複合通信端末装置における通信あるいは制御の履歴又は前記複合通信端末装置の給電の履歴を記録し、複合通信端末装置における通信あるいは制御の履歴又は前記複合通信端末装置の給電の履歴を保存してもよい。
【００１６】
また、開示の複合通信端末装置によれば、リアルタイム処理系ネットワークアクセスインタフェース装置は、記憶媒体を有し、憶媒体には、複合通信端末装置における通信あるいは制御の履歴又は複合通信端末装置の給電の履歴を記録し、複合通信端末装置における通信あるいは制御の履歴又は複合通信端末装置の給電の履歴を保存することにより、複合通信端末装置本体の記憶媒体とは、別に複合通信端末装置における通信あるいは制御の履歴又は前記複合通信端末装置の給電の履歴を保存することができ、これらの履歴を二重に持つことができる。
【００１７】
また、開示の複合通信端末装置は、前記リアルタイム処理系ネットワークアクセスインタフェース装置１０３１は、前記記憶媒体を制御する装置制御部１０３１５を有し、他の複合通信端末装置１０３’又はリアルタイム処理系ネットワークの通信管理ノード１０４の要求により、前記装置制御部は、前記他の複合通信端末装置又は前記通信管理ノードに対して、前記記憶媒体に対するアクセスを許可してもよい。
【００１８】
また、開示の複合通信端末装置によれば、装置制御部は、他の複合通信端末装置又はリアルタイム処理系ネットワークの通信管理ノードの要求により、他の複合通信端末装置又は通信管理ノードに対して、記憶媒体に対するアクセスを許可することにより、複合通信端末装置本体に電源断又は中央処理制御部の障害があったとしても、リアルタイム処理系ネットワークアクセス制御部が独自に有する複合通信端末装置における通信あるいは制御の履歴又は前記複合通信端末装置の給電の履歴を外部装置に提供することができる。また、この履歴を解析することにより、複合通信端末装置本体に電源断又は中央処理制御部の障害の原因を解明することができる。
【００１９】
また、開示の複合通信端末装置の複合通信端末装置において、前記複合通信端末装置１０３内に中央処理制御部１０３３及び前記リアルタイム処理系ネットワークアクセスインタフェース装置１０３１内に前記記憶媒体を制御する装置制御部１０３１５を有し、前記中央処理制御部又は前記装置制御部からの出力指示により、前記装置制御部は、他の複合通信端末装置又はリアルタイム処理系ネットワークの通信管理ノードに対して、複合通信端末装置における通信あるいは制御の履歴又は前記複合通信端末装置の給電の履歴を出力してもよい。
【００２０】
また、開示の複合通信端末装置によれば、中央処理制御部又は装置制御部からの出力指示により、装置制御部は、他の複合通信端末装置又はリアルタイム処理系ネットワークの通信管理ノードに対して、複合通信端末装置における通信あるいは制御の履歴又は複合通信端末装置の給電の履歴を出力することにより、必要に応じて又は定期的に複合通信端末装置における通信あるいは制御の履歴又は前記複合通信端末装置の給電の履歴を外部装置に提供することができる。
【００２１】
【発明の実施の形態】
次に、本発明の実施の形態について図面と共に説明する。図１は、本発明におけるシステム構成図を示す。本発明のシステムは、ＰＢＸ／公衆電話回線などの音声通信のようなリアルタイム系をメインとするリアルタイム処理系ネットワーク１０１、クライアント・サーバシステムのＬＡＮ（Ｌocal  Ａrea Ｎetwork）、ＡＴＭ（Ａsynchronous Ｔransfer Ｍode ）回線などのようなデータベースアクセスなど情報蓄積処理をメインとする蓄積処理系ネットワーク１０２と、蓄積処理系ネットワーク及びリアルタイム処理系ネットワークの端末として機能する複合通信端末装置（パーソナルコンピュータのような利用者がデータ処理及び音声通信処理等を行う端末装置）１０３、１０３’及び通信管理ノード１０４から構成されている。
【００２２】
通信管理ノード１０４は、端末管理部１０４１を有し、該端末管理部１０４１は、管理している複合通信端末装置１０３、１０３’毎に管理情報を表にした管理テーブル１０４１１を有し、更に、複合通信端末装置１０３、１０３’の状態をチェックする手段１０４１２と、該複合通信端末装置１０３、１０３’が前記複合通信端末装置がリアルタイム処理系ネットワーク１０１上の通信端末装置として機能するように、各複合通信端末装置１０３、１０３’毎に該複合通信端末装置１０３、１０３’の状態に応じて制御ソフトウエア及び設定情報データを選択・生成する手段１０４１３とを有し、この選択・生成された制御ソフトウエア及び設定情報データをリアルタイム処理系ネットワークを介してダウンロードすることができる。
【００２３】
更に、複合通信端末装置１０３、１０３’は、リアルタイム処理系ネットワーク１０１の回線を収容するリアルタイム処理系ネットワークアクセスインタフェース装置１０３１及び蓄積処理系ネットワーク１０２の回線を収容する蓄積処理系ネットワークアクセスインタフェース装置１０３２を有する。図１では、リアルタイム処理系ネットワークアクセスインタフェース装置１０３１、１０３１’及び蓄積処理系ネットワークアクセスインタフェース装置１０３２、１０３２’は、複合通信端末装置１０３、１０３’の一部であるが、パソコンである複合通信端末装置本体の１０３０の外部に設けても良いし、内蔵しても良い。パソコンである複合通信端末装置１０３、１０３’に内蔵される場合は、リアルタイム処理系ネットワークアクセスインタフェース装置１０３１及び蓄積処理系ネットワークアクセスインタフェース装置１０３２は、夫々パソコンに挿入される１枚のボードで構成されることもできる。
【００２４】
この構成において、蓄積処理系ネットワークアクセスインタフェース装置１０３２は、蓄積処理系ネットワーク１０２と接続され、リアルタイム処理系ネットワークアクセスインタフェース装置１０３１は、リアルタイム処理系ネットワーク１０１に接続されている。通信管理ノード１０４は、リアルタイム処理系ネットワーク１０１を介して、または、直接に、リアルタイム処理系ネットワークアクセスインタフェース装置１０３１、１０３１’と接続されている。また、通信ノード１０４は、必要に応じて、蓄積処理系ネットワーク１０２を介して、蓄積処理系ネットワークアクセスインタフェース装置１０３２と接続する。
【００２５】
図２は、主として、コンピュータ等の前記複合通信端末装置本体１０３０とリアルタイム処理系ネットワークアクセスインタフェース装置１０３１の構成を示したものである。複合通信端末装置本体１０３０は、当該複合通信端末装置本体１０３０における処理制御を司る中央処理制御部（ＣＰＵ）１０３３とメモリ、ハードディスクなどのようなデータを記憶する記憶媒体１０３４、複合通信端末装置１０３とリアルタイム処理系ネットワーク間の通信制御を行うリアルタイム処理系ネットワークアクセス制御部１０３５及び電源回路１０３６を有する。電源回路１０３６は、屋内配線の電源等からローカル給電され、複合通信端末装置１０３のメイン電源回路となっている。また、パーソナルコンピュータ等のキーボード、マウス、ディスプレイなどのようなに入出力装置１０３７を設けている。
【００２６】
リアルタイム処理系ネットワークアクセスインタフェース装置１０３１は、自装置を動作させるための電源回路として、前記メイン電源回路１０３６、バッテリーなどのような内部電源１０３１３及びリアルタイム処理系ネットワークの通信管理ノード１０４等から回線を介して給電されるセンター給電回路１０３１９等の複数の電力供給元を有し、これらの電力供給状態を検出するための電源供給検出回路１０３１１と、必要に応じて電源供給元を切り替えるための電源切替回路１０３１２とを有する。また、リアルタイム処理系ネットワークアクセスインタフェース装置１０３１は、電話機の送受器又はヘッドセット等のような音声の送受信を可能とする音声送受信装置１０３１４と接続可能とし、更に、複合通信端末装置本体１０３０及びリアルタイム処理系ネットワーク１０１間のデータの授受及び音声送受信装置１０３１４とリアルタイム処理系ネットワーク１０１間の通信制御を司る中央処理装置（ＣＰＵ）である装置制御部１０３１５並びにデータを記憶するための記憶媒体１０３１６を有する。また、障害時にリアルタイム通信を制御する（電話のフックオフスイッチ操作、ダイヤル操作など）装置として非常時制御装置１０３１７を有する。
【００２７】
音声通信等のリアルタイム処理系ネットワーク１０１上での、通信開始における電話発信、電話着信応答などの通信制御は、複合通信端末装置本体１０３０に具備されるリアルタイム処理系ネットワークアクセス制御部１０３５と、リアルタイム処理系ネットワークアクセスインタフェース装置１０３１内の装置制御部１０３１５間で制御（リアルタイム処理系ネットワークアクセス制御部１０３５から装置制御部１０３１５へのネットワークに対する要求、ネットワークからの受信メッセージ等の制御信号）のやりとりが行われ、これとは別に、装置制御部１０３１５とリアルタイム処理系ネットワーク１０１上の通信管理ノード１０４間で実際の通信制御のやりとりが行われる。
【００２８】
次に、各請求項に記載の発明の実施例を説明する。
（１）複合通信端末装置に対する制御ソフトウエア及び設定情報データのダウンロード
通信管理ノード１０４と複合通信端末装置１０３のリアルタイム処理系ネットワークアクセスインタフェース装置１０３１との間で、制御信号による通信を行い、複合通信端末装置本体１０３０のリアルタイム処理系ネットワークアクセス制御部１０３５又はリアルタイム処理系ネットワークアクセスインタフェース装置１０３１内の装置制御部１０３１５の稼働状態、制御ソフトウエアの版数、設定情報データなどの各種状態を通信管理ノード１０４にてチェックする。次に通信管理ノード１０４内の複合通信端末装置１０３に対する設定条件又は複合通信端末装置１０３のダウンロード契機タイミングなどの設定条件に従い、通信管理ノード１０４から、複合通信端末装置１０３に対して、リアルタイム処理系ネットワーク上の通信端末装置として必要な制御ソフトウエア及び設定情報データをリアルタイム処理系ネットワーク１０１経由で自動的にダウンロードする。
【００２９】
図３は、制御ソフトウエア及び設定情報データのダウンロードのフロー図である。複合通信端末装置１０３のリアルタイム処理系ネットワークアクセスインタフェース装置１０３１をリアルタイム処理系ネットワーク１０１に回線を挿入（２）して接続する（ボードセットアップでは、パーソナルコンピュータにインタフェースボードを挿入する）。回線が挿入されると、通信管理ノード１０４からのセンター給電（５０）によりリアルタイム処理系ネットワークアクセスインタフェース装置１０３１は動作を開始（３）する。リアルタイム処理系ネットワークアクセスインタフェース装置１０３１が動作を開始すると、装置制御部１０３１５から通信管理ノード１０４に対して動作開始の制御情報（動作開始イベント）を送信（５１）する。通信管理ノード１０４は、動作開始情報を受け取ることにより当該端末装置１０３の動作開始を認識し、現在の状態を問い合わせるためのオーダを送信（５２）する。リアルタイム処理系ネットワークアクセスインタフェース装置１０３１では、状態問い合わせオーダを受けて、自端末装置の状態（動作ソフトウエア版数、設定情報データ、複合通信端末装置１０３の電源回路状態等）を通信管理ノード１０４に対して応答（５３）する。通信管理ノード１０４では、ノード内のソフトウエアの版数と端末装置のソフトウエア版数との整合性、ノード内で定義する端末側の設定と端末で認識している設定情報データの整合性などをチェック（４）した後、ノード内に定義されたダウンロード条件（ダウンロードする等のタイミング条件など）をチェック（５）し、ダウンロードタイミングと判断したら、リアルタイム処理系ネットワークアクセスインタフェース装置１０３１に対してダウンロード開始の問い合わせ（５４）を行う。リアルタイム処理系ネットワークアクセスインタフェース装置１０３１ではダウンロード開始問い合わせを受信すると、通信管理ノード１０４の場合と同様に自装置内の設定条件をチェック（６）し、ダウンロード可能かどうかをダウンロード開始問い合わせ応答として通信管理ノード１０４に対して送信（５５）する。通信管理ノード１０４がダウンロード可能であるとのメッセージを受信した場合、必要な制御ソフトウエア、設定情報データをリアルタイム処理系ネットワークアクセスインタフェース装置１０３１に対してリアルタイム処理系ネットワーク１０１を介してダウンロードの開始（５６）をする。ダウンロードが終了した後、通信管理ノード１０４からダウンロード終了の通知（５７）を行う。リアルタイム処理系ネットワークアクセスインタフェース装置１０３１は、ネットワーク内の端末装置としての準備のための処理（７）が終わったら、動作可能のメッセージを応答（５８）する。通信管理ノード１０４では、動作可能のメッセージを受信した後、リアルタイム処理系ネットワーク１０１の端末として制御（着信など）を開始する。
【００３０】
このように構成することによって、複数の複合通信端末装置に対してインストール作業及び設定作業を行う場合、個々の端末装置にて端末装置本体の電源を投入して、行う必要がなくなり（ネットワークに接続すると、ネットワークからセンター給電を受ける）、作業の効率化が図れる。
また、通信管理ノード１０４から各端末装置に対して、ソフトウエアの版数、設定情報データ等を、自動的に、ダウンロードすることができる。
（２）電源供給の多系化と電源供給の監視・切替
リアルタイム処理系ネットワークアクセスインタフェース装置１０３１は、以下のような複数の系統から電力供給を受け、いずれかの電源により動作する。
【００３１】
・Ａ系：複合通信端末装置１０３本体のメイン電源回路１０３６からの給電
・Ｂ系：リアルタイム処理系ネットワーク１０１上の通信管理ノード１０４からリアルタイム処理系ネットワーク１０１経由でのセンター給電（例えば、ＰＢＸからの通信回線を介した給電）
・Ｃ系：リアルタイム処理系ネットワークアクセスインタフェース装置１０３１内に具備したバッテリー等の内部電源１０３１３からの給電
リアルタイム処理系ネットワークアクセスインタフェース装置１０３１は、現在給電されている電源の給電状態を電源供給検出回路１０３１１で監視し、この電源の供給が絶たれたのを検出すると、電源切替回路１０３１２にて予め設定された給電元の優先順位に従い、給電すべき電源に給電元を切り替え、継続動作を可能とする。
【００３２】
このように構成したので、リアルタイム処理系ネットワークアクセスインタフェース装置１０３１は、上記Ａ系のメイン電源からの電力供給が無くとも、他の電力により、間断なく、電力の供給を受けることができる。更に、複合通信端末装置本体１０３０が、通信の途中に障害した場合でも、リアルタイム処理系ネットワークアクセスインタフェース装置１０３１へのみ給電することにより、継続動作することが可能となる。なお、設定によっては、複合通信端末装置１０３が、通信の途中に障害した場合には、通信を切断することもできるが、通常は、通信を継続して行うこととなろう。
【００３３】
メイン電源の断時又は複合通信端末装置本体１０３０の障害時に、通信を切断することなく、通信を継続するためのには、リアルタイム処理系ネットワークアクセスインタフェース装置１０３１への給電を継続すると同時に、リアルタイム処理系ネットワークアクセスインタフェース装置１０３１に接続される非常時制御装置１０３１７への給電を開始し、電話の切断、発信などの通信制御をリアルタイム処理系ネットワークアクセス制御部１０３５から非常時制御装置１０３１７に切り替える。
【００３４】
図１０に電源供給検出回路を示す。リアルタイム処理系ネットワークアクセスインタフェース装置１０３１内の電源供給検出回路１０３１１は、端子ａ、ｂ、ｃを有し、端子ａ、ｂ、ｃには、電源供給回路（上記Ａ系、Ｂ系、Ｃ系）に接続されている。各電源供給回路において電源供給があると、当該端子の電位が上昇する構造となっている。従って、端子ａ、ｂ、ｃの電位から、リアルタイム処理系ネットワークアクセスインタフェース装置１０３１の給電の状態を把握することができる。
【００３５】
また、端子ａ、ｂ、ｃの全ての電位が低い状態であったものが、いずれかの端子の電圧が上昇すると、電力供給開始と判断する。更に、端子ａ、ｂ、ｃの電位を監視することで、電源供給の状況を常時把握することが可能となる。
図４は、電源供給の監視・切替に係るフロー図である。リアルタイム処理系ネットワークアクセスインタフェース装置１０３１内の電源供給検出回路１０３１１では、リアルタイム処理系ネットワークアクセスインタフェース装置１０３１の動作中は自装置の電源供給元の状態（電源供給の有無など）を常時監視している。例えば、複合通信端末装置１０３のメイン電源１０３６からの供給で動作している場合、停電等により複合通信端末装置１０３のメイン電源からの給電がストップした場合、電源断を装置制御部１０３１５に対して通知する。装置制御部１０３１５では、予め設定されたプライオリティ従い、切替先の電源を識別し（各電源の供給状態は電源供給検出回路１０３１１にて常時監視し、変化があった場合は、直ちにから装置制御部１０３１５に通知するため、切替先の電源の状態についても装置制御部１０３１５にて管理可能となっている。）、電源切替要求を電源切替回路１０３１２に対して通知する。その通知を受けて、電源切替回路１０３１２は供給元を切り替える。
【００３６】
これをフロー図で説明する。現在、複合通信端末装置１０３のメイン電源回路１０３６からの電源供給（６０）で、電話通話中に、メイン電源が断（１１）となった場合を想定する。このような場合に、電源供給検出回路１０３１１が複合通信端末装置１０３のメイン電源の断を検出（１２）すると、（従って、メイン電源が断であるから、複合通信端末装置１０３内のリアルタイム処理系ネットワークアクセス制御部１０３５からの制御はできない。）電源供給検出回路１０３１１は、装置制御部１０３１５にメイン電源の断を通知（６１）する。すると装置制御部１０３１５は、予め設定された条件に従い、電源供給を切り替える（１３）ために、電源切替回路１０３１２に電源の切替を要求（６２）する。電源切替回路１０３１２は、装置制御部１０３１５の要求通りに、電源を切替（１４）える。また、上記フローの供給電源断の検出（１２）したときから、供給電源元を切替える（１４）の間は、内部電源を用いる。
【００３７】
このようにして、メイン電源が断となっても、間断なく給電は継続されるため、通話を継続動作することが可能となる。通話は、設定条件によってはこの後に、切断することもできるが、通常は通話を継続することとなる。通話を切断することなく、通話を継続するためのには、リアルタイム処理系ネットワークアクセスインタフェース装置１０３１への給電を継続すると共に、リアルタイム処理系ネットワークアクセスインタフェース装置１０３１に接続される非常時制御装置１０３１７への給電を開始し、電話の切断、発信などの通信制御をリアルタイム処理系ネットワークアクセス制御部１０３５から非常時制御装置１０３１７に切り替（１６）える。これによって、通話を維持することができる。
【００３８】
図８は、リアルタイム処理系ネットワークアクセスインタフェース装置が回線に接続されたときの、動作シーケンスである。通信管理ノード１０４からはリアルタイム処理系ネットワーク１０１に対して常時電力が供給（センター給電）（９５）されている。複合通信端末装置１０３が、ネットワーク回線に接続されいない場合には、通信管理ノード１０４では、複合通信端末装置１０３が電気的に回線がオープン状態として検出されるために、複合通信端末装置１０３が未接続と判断する。リアルタイム処理系ネットワークアクセスインタフェース装置１０３１がネットワーク回線に接続（４６）されると、リアルタイム処理系ネットワーク１０１のから電力が供給され（９６）、リアルタイム処理系ネットワークアクセスインタフェース装置１０３１内の電源供給検出回路１０３１１にて上記センター給電の電力を検出（４７）する。その後、リアルタイム処理系ネットワークアクセスインタフェース装置１０３１は、アクセス装置としての動作を開始すべく、装置制御部１０３１５のソフトウエアが動作を開始（４８）する。一方、通信管理ノード１０４側では、複合通信端末装置１０３とのリンクが張られたことを検出（４９）し、複合通信端末装置１０３に対して初期化要求（９７）を行う。通信管理ノード１０４からの初期化要求に対して動作開始応答（９８）を行い、リアルタイム処理系ネットワーク１０１の端末として動作を開始する。
【００３９】
従って、リアルタイム処理系ネットワークアクセスインタフェース装置１０３１が動作を開始するために、リアルタイム処理系ネットワークアクセスインタフェース装置１０３１が接続される端末装置本体１０３０（パーソナルコンピュータ等）の電源状態に拘わらず動作が可能となる。
このように構成したので、従来は、複合通信端末装置１０３本体の電源状態によりネットワーク端末としての機能が依存されていたが、電源状態の監視／切替により通信状態の継続及び通信制御の継続が可能となり、リアルタイム性の問われる処理において信頼性の向上が図れる。
（３）通信、制御及び給電の履歴の保存と出力
複合通信端末装置１０３がリアルタイム処理系ネットワーク１０１上で行う通信又は制御の履歴（例えば、リアルタイム処理系ネットワークアクセス制御部１０３５とリアルタイム処理系ネットワークアクセスインタフェース装置１０３１との間の通信又は制御の履歴及びリアルタイム処理系ネットワークアクセスインタフェース装置１０３１内の装置制御部１０３１５とリアルタイム処理系ネットワーク１０１との間の通信又は制御の履歴）を、複合通信端末装置１０３内の記憶媒体１０３４に記憶すると共に、リアルタイム処理系ネットワークアクセスインタフェース装置１０３１内に具備された記憶媒体１０３１６に記憶保存する。また、複合通信端末装置１０３のメイン電源状態がオフの場合においても、上記（２）「電源供給の多系化と電源供給の監視・切替」の通りリアルタイム処理系ネットワークアクセスインタフェース装置１０３１は電源供給を受けることが可能であり、リアルタイム処理系ネットワーク１０１上の端末装置として動作するので、そのときにもリアルタイム処理系ネットワークアクセスインタフェース装置１０３１内の装置制御部１０３１５とリアルタイム処理系ネットワーク１０１との通信履歴を記憶媒体１０３１６に記録保存する。
【００４０】
図５は、履歴情報の保存のフロー図である。複合通信端末装置１０３がリアルタイム処理系ネットワーク１０１の端末として動作している間は、リアルタイム処理系ネットワークアクセス制御部１０３５からリアルタイム処理系ネットワークアクセスインタフェース装置１０３１内の装置制御部１０３１５に対して電話発信、着信応答などの制御情報を発行（７０）する。制御情報に関して、予め設定された履歴情報を保存するか否かを決めて置く。保存する場合は複合通信端末装置１０３内の記憶媒体１０３４に記憶（７１）すると同時に、リアルタイム処理系ネットワークアクセスインタフェース装置１０３１内の記憶媒体１０３１６に対して、リアルタイム処理系ネットワークアクセス制御部１０３５から書込み（７２）を行う。装置制御部１０３１５からのリアルタイム処理系ネットワークアクセス制御部１０３５に対する電話着信等のイベントの通知（７６）に関しても同様に、イベントの履歴を保存する。
【００４１】
また、リアルタイム処理系ネットワークアクセス制御部１０３５から制御要求を受けたリアルタイム処理系ネットワークアクセスインタフェース装置１０３１内の装置制御部１０３１５は、リアルタイム処理系ネットワーク１０１に制御要求（発信、着信応答など）（７３）を行い、設定された条件により自装置内の記憶媒体１０３１６に対して制御履歴を保存（７４）する。リアルタイム処理系ネットワーク１０１からの装置制御部１０３１５に対する電話着信等のイベントの通知（７５）に関しても同様に、イベントの履歴を保存する。
【００４２】
更に、電源供給検出回路１０３１１が、メイン電源の断を検出（２０）した場合は、上記したように、リアルタイム処理系ネットワークアクセスインタフェース装置１０３１及び非常時制御装置１０３１７により、通信の継続が可能であるが、その場合の、給電の履歴をリアルタイム処理系ネットワークアクセスインタフェース装置１０３１内の記憶媒体１０３１６に保存する（８０）ことができる。
【００４３】
通信管理ノード１０４、他の複合通信端末装置１０３’等の外部装置は、リアルタイム処理系ネットワークアクセスインタフェース装置１０３１内の記憶媒体１０３１６に記録保存されたデータを取得するために、複合通信端末装置１０３のリアルタイム処理系ネットワークアクセスインタフェース装置１０３１内の装置制御部１０３１５にアクセスし、この装置制御部１０３１５にデータ取得要求をする。この装置制御部１０３１５は、記憶媒体１０３１６に記録保存されたデータを読出し、要求した外部装置にこのデータを渡すことにより、外部装置は、通信、制御又は給電の履歴を取得することができる。また、上記（２）「電源供給の多系化と電源供給の監視・切替」の通り、メイン電源が断でも、リアルタイム処理系ネットワークアクセスインタフェース装置１０３１は電源供給を受けることが可能であり、リアルタイム処理系ネットワーク１０１上の端末装置として動作することができるので、そのときにも、外部装置は、複合通信端末装置１０３に接続されたリアルタイム処理系ネットワークアクセスインタフェース装置１０３１内の装置制御部１０３１５にアクセスし、通信、制御又は給電の履歴を取得することができる。
【００４４】
図６は、履歴情報の外部装置が取得する場合のフローである。リアルタイム処理系ネットワークアクセスインタフェース装置１０３１内の記憶媒体１０３１６に保存された履歴情報を、リアルタイム処理系ネットワーク１０１上の他の複合通信端末装置１０３’から通信管理ノード１０４に対して、取得する端末装置を指定して（内線番号による）履歴情報取得要求（８２、８３）を行う。通信管理ノード１０４では、複合通信端末装置１０３に対して要求元を付与して履歴情報取得を発行（８４、８５）する。複合通信端末装置１０３では、履歴情報取得要求元に対して情報送信の可否を判断した後、通信管理ノード１０４に対して履歴情報を送信（８６、８７）する。通信管理ノード１０４は、受信した履歴情報を複合通信端末装置１０３に対して転送（８８、８９）する。なお、本実施例においては、履歴情報取得要求元が通信管理ノード１０４でも可能である。また、履歴情報取得要求元からはマニュアル又は予め設定された条件（取得タイミングなど）に従って自動的に取得要求を発行することも可能である。
【００４５】
複合通信端末装置１０３に接続されたリアルタイム処理系ネットワークアクセスインタフェース装置１０３１内の装置制御部１０３１５は、他の複合通信端末装置１０３’等の外部装置の要求に関係なく、リアルタイム処理系ネットワークアクセスインタフェース装置１０３１内の記憶媒体１０３１６に記録保存されたデータを定期的に、外部装置に出力することもできる。また、複合通信端末装置１０３の外部に設けた入出力装置１０３７からの指示により中央処理制御部１０３３は、リアルタイム処理系ネットワークアクセス制御部１０３５に対して要求し、装置制御部１０３１５は、記憶媒体１０３１６に記録保存されたデータを読出し、入出力装置１０３７又は記憶媒体１０３４にデータを出力することができる。
【００４６】
図７は、履歴情報の出力のフロー図である。リアルタイム処理系ネットワークアクセスインタフェース装置１０３１内の記憶媒体１０３１６に保存されている履歴情報を、リアルタイム処理系ネットワークアクセスインタフェース装置１０３１内にて予め設定されたタイミング及び転送先に対して、リアルタイム処理系ネットワーク１０１を介して、通信管理ノード１０４に対して送信（９０、９１）する。通信管理ノード１０４では、出力先を識別（４１）し、送信された履歴情報を転送（９２）する。他の複合通信端末装置が転送先の場合、通信管理ノード１０４と他との複合通信端末装置１０３’間の通信により受信可否を決定可能とする。また、本転送処理は、複合通信端末装置１０３の入出力装置１０３７からのマニュアル操作によって行うことも可能であり、転送先を複合通信端末装置１０３内の記憶媒体１０３４にすることもできる。
【００４７】
履歴情報の例を図９に示す。図において、ＴＩＭＥは時間を、ＰＬＡＣＥは、履歴発生箇所を、ＣＯＮＴＥＮＴＳは、履歴内容を示す。また、ＢＯＡＲＤは、リアルタイム処理系ネットワークアクセスインタフェース装置１０３１であり、ＮＥＴは、リアルタイム処理系ネットワーク１０１でり、ＴＥＲＭは、複合通信端末装置１０３である。更に、矢印は制御情報の流れを示している。
【００４８】
図９の内容は、行毎に記述すると、次のようである。
１行目：リアルタイム処理系ネットワークアクセスインタフェース装置１０３１の給電開始
２行目：リアルタイム処理系ネットワーク１０１からの給電検出
３行目：複合通信端末装置本体１０３０からの給電検出
４行目：複合通信端末装置本体１０３０からリアルタイム処理系ネットワークアクセスインタフェース装置１０３１に対して、制御開始の要求発生
５行目：リアルタイム処理系ネットワーク１０１からリアルタイム処理系ネットワークアクセスインタフェース装置１０３１への電話着信の通知
６行目：リアルタイム処理系ネットワークアクセスインタフェース装置１０３１から複合通信端末装置本体１０３０への電話着信の通知
７行目：複合通信端末装置本体１０３０からリアルタイム処理系ネットワークアクセスインタフェース装置１０３１へ着信呼への応答要求
８行目：リアルタイム処理系ネットワークアクセスインタフェース装置１０３１からリアルタイム処理系ネットワーク１０１への着信応答要求
９行目：リアルタイム処理系ネットワーク１０１からリアルタイム処理系ネットワークアクセスインタフェース装置１０３１への音声呼の接続通知
１０行目：リアルタイム処理系ネットワークアクセスインタフェース装置１０３１から複合通信端末装置本体１０３０へ音声呼の接続通知
１１行目：リアルタイム処理系ネットワークアクセスインタフェース装置１０３１にて複合通信端末装置本体１０３０の給電断を検出
１２行目：リアルタイム処理系ネットワークアクセスインタフェース装置１０３１が動作するための電源を複合通信端末装置本体１０３０から、センター給電に切り替え
１３行目：ネットワーク制御をリアルタイム処理系ネットワークアクセスインタフェース装置１０３１に接続された外部装置へ切替
このように構成することにより、従来は、端末異常時の障害履歴管理及び障害解析について、通信管理ノード１０４側のみでしか取得できなかったが、障害端末での情報をリモートで容易に取得可能となり、詳細な端末管理を行うことができる。
【００４９】
本発明における実施例によれば、遠隔地での複合通信端末装置１０３の一括管理／セットアップ、障害解析等が可能となり、メンテナンス作業の効率化が図れる。
【００５０】
【発明の効果】
【００５１】
参考例によれば、複数の電力供給元を有し、使用中の電源断を電源供給検出回路により検出すると、電源切替回路が電力供給元を切り替えることにより、間断なく電源を供給することができる。また、参考例によれば、リアルタイム処理系ネットワークアクセスインタフェース装置は、複合通信端末装置のメイン電源からの給電に加えて、該リアルタイム処理系ネットワークアクセスインタフェース装置の内部電源による給電及び前記リアルタイム処理系ネットワークからの給電を受けるようにし、複合通信端末装置の前記メイン電源の断の場合でも、内部電源による給電又は前記リアルタイム処理系ネットワークからの給電を受け、リアルタイム処理系ネットワークアクセスインタフェース装置１０３１に、間断なく電源を供給することができる。
【００５２】
開示の複合通信端末装置によれば、リアルタイム処理系ネットワークアクセスインタフェース装置は、複合通信端末装置のメイン電源からの給電に加えて、該リアルタイム処理系ネットワークアクセスインタフェース装置の内部電源による給電及びリアルタイム処理系ネットワークからの給電を受けるようにし、複合通信端末装置本体に障害が生じた場合は、前記リアルタイム処理系ネットワークアクセスインタフェース装置にのみ、内部電源による給電又は前記リアルタイム処理系ネットワークから給電を行い、該リアルタイム処理系ネットワークアクセスインタフェース装置により、通信することにより、複合通信端末装置本体の中央処理制御部の障害の影響に左右されずに通信を継続することができる。
【００５３】
また、開示の複合通信端末装置によれば、リアルタイム処理系ネットワークアクセスインタフェース装置は、記憶媒体を有し、憶媒体には、複合通信端末装置における通信あるいは制御の履歴又は複合通信端末装置の給電の履歴を記録し、複合通信端末装置における通信あるいは制御の履歴又は複合通信端末装置の給電の履歴を保存することにより、複合通信端末装置本体の記憶媒体とは、別に複合通信端末装置における通信あるいは制御の履歴又は前記複合通信端末装置の給電の履歴を保存することができ、これらの履歴を二重に持つことができる。
【００５４】
また、開示の複合通信端末装置によれば、装置制御部は、他の複合通信端末装置又はリアルタイム処理系ネットワークの通信管理ノードの要求により、他の複合通信端末装置又は通信管理ノードに対して、記憶媒体に対するアクセスを許可することにより、複合通信端末装置本体に電源断又は中央処理制御部の障害があったとしても、リアルタイム処理系ネットワークアクセス制御部が独自に有する複合通信端末装置における通信あるいは制御の履歴又は前記複合通信端末装置の給電の履歴を外部装置に提供することができる。また、この履歴を解析することにより、複合通信端末装置本体に電源断又は中央処理制御部の障害の原因を解明することができる。
【００５５】
また、開示の複合通信端末装置によれば、中央処理制御部又は装置制御部からの出力指示により、装置制御部は、他の複合通信端末装置又はリアルタイム処理系ネットワークの通信管理ノードに対して、複合通信端末装置における通信あるいは制御の履歴又は複合通信端末装置の給電の履歴を出力することにより、必要に応じて又は定期的に複合通信端末装置における通信あるいは制御の履歴又は前記複合通信端末装置の給電の履歴を外部装置に提供することができる。
【図面の簡単な説明】
【図１】本発明におけるシステム構成図である。
【図２】複合通信端末装置の構成図である。
【図３】ソフトウエア及び設定情報データのダウンロードのフロー図である。
【図４】電源供給の監視・切替に係るフロー図である。
【図５】履歴情報の保存のフロー図である。
【図６】履歴情報の外部装置が取得する場合のフロー図である。
【図７】履歴情報の出力のフロー図である。
【図８】リアルタイム処理系ネットワークアクセスインタフェース装置の動作シーケンスを説明するための図である。
【図９】通信履歴／障害ロギング情報の例を説明するための図である。
【図１０】電源検出回路を説明するための図である。
【符号の説明】
１０１    リアルタイム処理系ネットワーク
１０２    蓄積処理系ネットワーク
１０３    複合通信端末装置
１０４    通信管理ノード
１０３０    複合通信端末装置本体
１０３１    リアルタイム処理系ネットワークアクセスインタフェース装置
１０３２    蓄積処理系ネットワークアクセスインタフェース装置
１０３３    中央処理制御部
１０３４    記憶媒体
１０３５    リアルタイム処理系ネットワークアクセス制御部
１０３６    電源回路
１０３７    入出力装置
１０３１１    電源供給検出回路
１０３１２    電源切替回路
１０３１３    内部電源
１０３１５    装置制御部
１０４１    通信管理部
【図１】
0004343282.tif 000002
【図２】
0004343282.tif 000003
【図３】
0004343282.tif 000004
【図４】
0004343282.tif 000005
【図５】
0004343282.tif 000006
【図６】
0004343282.tif 000007
【図７】
0004343282.tif 000008
【図８】
0004343282.tif 000009
【図９】
0004343282.tif 000010
【図１０】
0004343282.tif 000011